(57)【要約】【課題】受信感度を低下させること無く、アンテナ装置等の小型化を実現すること。【解決手段】標準電波を受信する受信制御回路部６００におけるアンテナ装置６３０は、外部磁界の変化を電圧変化として検出する磁気センサ回路６１０と、磁気センサ回路６１０により検出された磁界変化のうち、共振周波数の磁界変化のみを取り出す水晶等の共振素子６２１で成る共振回路６２０と、抵抗Ｒ０とを備える。また、磁気センサ回路６１０は、磁気抵抗効果素子６１２と、磁気抵抗効果素子６１２に直流電圧を印加する直流電源６１１と、抵抗Ｒ１とを有する。【選択図】図４
2007124335.tif 000002
【特許請求の範囲】
【請求項１】
磁界の変化に応じて電気的な特性が変化する磁界検出手段と、
この磁界検出手段と電気的に接続された共振手段と、
を備え、前記共振手段の共振作用によって前記磁界検出手段が検出可能な磁界変化のうちの所定周波数の磁界変化を電気信号として取り出し、当該所定周波数の電波の受信信号とすることを特徴とするアンテナ装置。
【請求項２】
前記磁界検出手段は、所定の直流電圧が印加されることにより磁界変化が検出可能となり、磁界の変化に応じて磁気抵抗が変化する素子を有して構成されることを特徴とする請求項１に記載のアンテナ装置。
【請求項３】
前記磁界検出手段と前記共振手段とが直列に接続され、
前記共振手段は、特定周波数でのインピーダンスが当該特定周波数以外の周波数でのインピーダンスより低くなることを特徴とする請求項２に記載のアンテナ装置。
【請求項４】
前記磁界検出手段と前記共振手段とが並列に接続され、
前記共振手段は、特定周波数でのインピーダンスが当該特定周波数以外の周波数でのインピーダンスより高くなることを特徴とする請求項２に記載のアンテナ装置。
【請求項５】
前記共振手段は、前記磁界検出手段と直列に接続された共振素子を有することを特徴とする請求項１に記載のアンテナ装置。
【請求項６】
磁界の変化に応じて電気的な特性が変化する磁界検出手段と、
この磁界検出手段と電気的に接続された共振手段と、
この共振手段の共振作用によって前記磁界検出手段が検出可能な磁界変化のうちから電気信号として取り出された所定周波数の磁界変化を、当該所定周波数の電波の受信信号として増幅する増幅手段と、
この増幅手段により増幅された受信信号を検波して出力する検波手段と、
を備える受信装置。
【請求項７】
時刻を計時する計時手段と、
この計時手段により計時された時刻を表示する時刻表示手段と、
磁界の変化に応じて電気的な特性が変化する磁界検出手段と、
この磁界検出手段と電気的に接続された共振手段と、
この共振手段の共振作用によって前記磁界検出手段が検出可能な磁界変化のうちから電気信号として取り出された、時刻情報を搬送する搬送波信号の周波数の磁界変化を受信信号として増幅する増幅手段と、
この増幅手段により増幅された受信信号を検波して出力する検波手段と、
この検波手段により出力された受信信号から時刻情報を抽出する時刻情報抽出手段と、
前記時刻情報抽出手段により抽出された時刻情報に基づいて前記時刻計時手段により計時された時刻を修正する時刻修正手段と、
を備える電子機器。
【発明の詳細な説明】
【技術分野】
【０００１】
本発明は、所定周波数の電波を受信するアンテナ装置等に関する。
【背景技術】
【０００２】
受信装置として、磁気センサの一種であるＭＩ（Magneto Impedance）センサを用いた受信装置が知られている。かかる受信装置は、磁気インピーダンス効果素子と、この磁気インピーダンス効果素子に駆動交流信号を与える駆動回路と、駆動交流信号と磁気インピーダンス効果素子による受信信号との混合信号を整流する整流回路と、この整流された混合信号から駆動交流信号を分離抽出する周波数分別器とから構成されるアンテナ部を備える。そして、このアンテナ部からの出力信号が増幅回路により増幅され、同調回路により目的の周波数の信号が選択され、更に検波回路により検波される（例えば、特許文献１参照）。
【特許文献１】特開２０００−１８８５５８号公報
【発明の開示】
【発明が解決しようとする課題】
【０００３】
ところで、磁気センサは、フィルタ特性を持たず広い周波数範囲の磁界変化を検出するものであり、ある特定の周波数の磁界変化のみを検出することができない。このため、特許文献１に開示されている受信装置では、アンテナ部の後段に目的の周波数成分のみを選択する同調回路を必要とする。また、かかる受信装置では、ＭＩセンサを用いているため、磁気インピーダンス効果素子の駆動のために高周波の交流電源（駆動回路）が必要であり、アンテナ部の回路規模が比較的大規模にならざるを得なかった。
【０００４】
上記事情に鑑み、本発明は、受信感度を低下させること無く、アンテナ装置、受信装置及び電子機器の小型化を実現することを目的としている。
【課題を解決するための手段】
【０００５】
上記課題を解決するため、請求項１に記載の発明は、
磁界の変化に応じて電気的な特性が変化する磁界検出手段（例えば、図４の磁気センサ回路６１０）と、
この磁界検出手段と電気的に接続された共振手段（例えば、図４の共振回路６２０）と、
を備え、前記共振手段の共振作用によって前記磁界検出手段が検出可能な磁界変化のうちの所定周波数の磁界変化を電気信号として取り出し、当該所定周波数の電波の受信信号とすることを特徴とするアンテナ装置（例えば、図４のアンテナ装置６３０）である。
【０００６】
請求項２に記載の発明は、請求項１に記載のアンテナ装置において、
前記磁界検出手段は、所定の直流電圧が印加されることにより磁界変化が検出可能となり、磁界の変化に応じて磁気抵抗が変化する素子（例えば、図４の磁気抵抗効果素子６１２）を有して構成されることを特徴とする。
【０００７】
請求項３に記載の発明は、請求項２に記載のアンテナ装置において、
前記磁界検出手段と前記共振手段とが直列に接続され（例えば、図４の磁気センサ回路６１０と共振回路６２０）、
前記共振手段は、特定周波数でのインピーダンスが当該特定周波数でのインピーダンスより低くなることを特徴とする。
【０００８】
請求項４に記載の発明は、請求項２に記載のアンテナ装置において、
前記磁界検出手段と前記共振手段とが並列に接続され（例えば、図８の磁気抵抗効果素子６１２及び共振回路６２０Ｂ）、
前記共振手段は、特定周波数でのインピーダンスが当該特定周波数以外の周波数でのインピーダンスより高くなることを特徴とする。
【０００９】
請求項５に記載の発明は、請求項１に記載のアンテナ装置において、
前記共振手段は、前記磁界検出手段と直列に接続された共振素子（例えば、図４の共振素子６２１）を有することを特徴とする。
【００１０】
請求項６に記載の発明は、
磁界の変化に応じて電気的な特性が変化する磁界検出手段（例えば、図４の磁気センサ回路６１０）と、
この磁界検出手段と電気的に接続された共振手段（例えば、図４の共振回路６２０）と、
この共振手段の共振作用によって前記磁界検出手段が検出可能な磁界変化のうちから電気信号として取り出された所定周波数の磁界変化を、当該所定周波数の電波の受信信号として増幅する増幅手段（例えば、図４の増幅回路６４０）と、
この増幅手段により増幅された受信信号を検波して出力する検波手段（例えば、図４の検波回路６６０）と、
を備える受信装置（例えば、図４の受信制御回路部６００）である。
【００１１】
請求項７に記載の発明は、
時刻を計時する計時手段（例えば、図３の計時回路部７００）と、
この計時手段により計時された時刻を表示する時刻表示手段（例えば、図３の表示部３００）と、
磁界の変化に応じて電気的な特性が変化する磁界検出手段（例えば、図３の磁気センサ回路６１０）と、
この磁界検出手段と電気的に接続された共振手段（例えば、図３の共振回路６２０）と、
この共振手段の共振作用によって前記磁界検出手段が検出可能な磁界変化のうちから電気信号として取り出された、時刻情報を搬送する搬送波信号の周波数の磁界変化を受信信号として増幅する増幅手段（例えば、図３の増幅回路６４０）と、
この増幅手段により増幅された受信信号を検波して出力する検波手段（例えば、図３の検波回路６６０）と、
この検波手段により出力された受信信号から時刻情報を抽出する時刻情報抽出手段（例えば、図３のＣＰＵ１００）と、
前記時刻情報抽出手段により抽出された時刻情報に基づいて前記時刻計時手段により計時された時刻を修正する時刻修正手段（例えば、図３のＣＰＵ１００）と、
を備える電子機器（例えば、図３の腕時計１）である。
【発明の効果】
【００１２】
請求項１に記載の発明によれば、共振手段の共振作用によって、磁界検出手段が検出可能な磁界変化のうちの所定周波数の磁界変化を電気信号として取り出し、所定周波数の電波の受信信号とすることができるので、同調回路を必要とせず、アンテナ装置の小型化を実現することができる。また、磁界検出手段は、電気的特性の変化により磁界変化を検出する。即ち、このアンテナ装置は共振型のアンテナでないため、反磁界があまり生じず、反磁界による受信感度の劣化が少ない。
【００１３】
請求項２に記載の発明によれば、磁気抵抗効果を利用して磁界検出手段が構成され、検出された磁界変化が電圧として得られる。また、交流電源が必要ないため、アンテナ装置の小型化を図ることができる。
【００１４】
請求項３に記載の発明によれば、磁界の強さを一定とした場合、磁界検出手段及び共振手段それぞれのインピーダンスに応じた電圧が受信信号として得られるが、磁界検出手段と共振手段とが直列接続されているため、共振手段のインピーダンスが高くなるほど、受信信号として得られる電圧が低下する。従って、例えば、共振手段を、特定周波数でインピーダンスが充分高くなり、それ以外で充分低くなるように構成するとともに、この特定周波数を所定周波数に応じた周波数とすることで、当該所定周波数の磁界変化のみを受信信号として取り出すことが可能となる。
【００１５】
請求項４に記載の発明によれば、磁界の強さを一定とした場合、磁界検出手段及び共振手段それぞれのインピーダンスに応じた電圧が受信信号として得られるが、磁界検出手段と共振手段とが並列接続されているため、共振手段のインピーダンスが低くなるほど、受信信号として得られる電圧が低下する。従って、例えば、共振手段を、特定周波数でインピーダンスが充分高くなり、それ以外の周波数では低くなるように構成するとともに、この特定周波数を所定周波数に応じた周波数とすることで、当該所定周波数の磁界変化のみを受信信号として取り出すことが可能となる。
【００１６】
請求項５に記載の発明によれば、例えば水晶（クリスタル）やセラミック等で成る共振素子で共振手段を構成することにより、この共振手段を小型化し、その結果、アンテナ装置の小型化を図ることができる。
【００１７】
請求項６に記載の発明によれば、共振手段の共振作用によって、磁界検出手段が検出可能な磁界変化のうちの所定周波数の磁界変化を電気信号として取り出し、所定周波数の電波の受信信号とすることができるので、同調回路を必要とせず、受信装置の小型化を実現することができる。また、磁界検出手段は、電気的特性の変化により磁界変化を検出する。即ち、共振型のアンテナでないため反磁界があまり生じず、反磁界による受信感度の劣化が少ない。
【００１８】
請求項７に記載の発明によれば、共振手段の共振作用によって、磁界検出手段が検出可能な磁界変化のうちの所定周波数の磁界変化を電気信号として取り出し、所定周波数の電波の受信信号とすることができるので、同調回路を必要とせず、標準電波を受信して時刻修正を行う電波時計といった電子機器の小型化を実現することができる。また、磁界検出手段は、電気的特性の変化により磁界変化を検出する。即ち、共振型のアンテナでないため反磁界があまり生じず、反磁界による受信感度の劣化が少ない。
【発明を実施するための最良の形態】
【００１９】
以下、図面を参照して、本発明の好適な実施形態を説明する。尚、以下では、本発明を電子機器の一種である腕時計に適用した場合を説明するが、本発明を適用可能な実施形態がこれに限定されるものではない。
【００２０】
［腕時計］
図１は、本実施形態における腕時計１の正面図であり、図２は、腕時計１のＡ−Ａ´断面図（１２時−６時断面図）である。腕時計１は、時計モジュール等を内部に収納する時計ケース１０を備えている。時計ケース１０の外周部分であって６時及び１２時それぞれの位置には、これをユーザの手首に装着するための時計バンド６０が取り付けられているとともに、時計ケース１０の外周側面には、腕時計１の各種機能の実行を指示するためのスイッチ１１が設けられている。
【００２１】
時計ケース１０は、ステンレスやチタン等の金属により環状の短柱形状に形成されている。また、時計ケース１０の６時及び１２時それぞれの位置の側方部分には、時計バンド６０を取り付けるための延出部が形成されており、この延出部には、時計バンド６０を取り付けるピンを通すための孔部が形成されている。
【００２２】
時計ケース１０の上端部（図２中、上側）には、この上端部を塞ぐように時計ガラス１２がパッキン１３を介して嵌められており、時計ケース１０の下端部（図２中、下側）には、この下端部を塞ぐように裏蓋（バック）１４がＯリング１５を介して取り付けられている。裏蓋１４は、ステンレスやチタン等の強度が強い金属により、厚みが薄いほぼ平板状に形成されている。
【００２３】
時計ケース１０の内部には、上部ハウジング２１及び下部ハウジング２２が、それぞれの周縁部が時計ケース１０の内側周面に設けられている中枠に取り付けられて配置されている。
【００２４】
上部ハウジング２１の上面には、所定の樹脂で形成されたプリント配線基板３０が配置されており、更にその上面には文字盤２３が配置され、この文字盤２３の上面にはリング状の見切り板２４が時計ガラス１２の周縁部に当接した状態で配置されている。また、文字盤２３の６時寄りの位置に形成された開口部２３ａの下方には、時刻等を表示する液晶表示パネル２５が上部ハウジング２１に支持されて配置されている。即ち、腕時計１を正面から見たときに、時計ガラス１２を介して液晶表示パネル２５に表示された時刻が視認できるようになっている。
【００２５】
また、文字盤２３の上面には、平面視略矩形状に形成された１２個の時字２３ｂが円周方向に等間隔で設けられており、これら各時字２３ｂが１時から１２時までの各時に対応している。本実施形態では、これらの時字２３ｂのうち、１２時に対応する時字２３ｂは、外部磁界に応じて磁気抵抗が変化する磁気抵抗効果素子６１２であり、標準電波を受信するアンテナとして機能する。この磁気抵抗効果素子６１２は、プリント配線基板３０の上面にパターニングされた磁性体で成り、文字盤２３の対応する位置に形成された開口部からその上面が露出するように形成されている。
【００２６】
また、プリント配線基板３０の下面であって磁気抵抗効果素子６１２の下方には、プリント配線により形成され、磁気抵抗効果素子６１２と電気的に接続された共振回路６２０が形成されている。この共振回路６２０の共振作用により、磁気抵抗効果素子６１２での受信信号から所定の周波数信号が抽出される。
【００２７】
また、上部ハウジング２１は、時計ケース１０のほぼ中央付近に配置されたアナログ指針機構２６を備える。アナログ指針機構２６は、文字盤２３の中央部に形成された軸孔からその上方に伸びる指針軸と、この指針軸に取り付けられた時針や分針等の指針２６ａとを有し、指針２６ａを文字盤２３の上方で運針させる。
【００２８】
下部ハウジング２２には、電池２７が組み込まれている。また、上部ハウジング２１と下部ハウジング２２との間には、アナログ指針機構２６や共振回路６２０等を接続してこれらを制御する回路基盤２８が配置されている。
【００２９】
回路基盤２８が有する回路要素としては、ＣＰＵ等の制御ＩＣと、発振回路を有して現在時刻を計時する計時回路と、共振回路６２０からの入力信号を増幅・検波して標準電波に含まれるタイムコードを取り出す受信回路等がある。制御ＩＣは、受信回路で取り出されたタイムコードに基づいて計時回路による現在時刻を修正し、修正した現在時刻を液晶表示パネル２５に表示させる、或いは、現在時刻を示すようにアナログ指針機構２６を制御して指針２６ａを運針させる処理等を行う。
【００３０】
［内部構成］
図３は、腕時計１の内部構成を示すブロック図である。同図によれば、腕時計１は、ＣＰＵ１００と、入力部２００と、表示部３００と、ＲＯＭ４００と、ＲＡＭ５００と、受信制御回路部６００と、計時回路部７００と、発振回路部７２０とを備えて構成される。
【００３１】
ＣＰＵ１００は、所定のタイミング或いは入力部２００から入力された操作信号に応じてＲＯＭ４００に格納されたプログラムを読み出してＲＡＭ５００に展開し、該プログラムに基づいて腕時計１を構成する各部への指示やデータの転送等を行う。具体的には、例えば、所定時間毎に受信制御回路部６００を制御して標準電波の受信を行わせ、受信信号を基に計時回路部７００で計時される現在時刻データを修正する処理や、計時回路部７００によって計時された現在時刻を表示部３００に表示させる処理等を行う。
【００３２】
入力部２００は、腕時計１の各種機能の実行を指示するためのスイッチ１１を含み、このスイッチ１１が操作されると、対応する操作信号をＣＰＵ１００に出力する。表示部３００は、文字盤２３やＣＰＵ１００によって制御されアナログ指針機構２６、液晶表示パネル２５を含み、計時回路部７００によって計時された現在時刻を表示する。
【００３３】
ＲＯＭ４００は、腕時計１にかかるシステムプログラムやアプリケーションプログラム、本実施形態を実現するためのプログラムやデータ等を記憶する。ＲＡＭ５００は、ＣＰＵ１００の作業領域として用いられ、ＲＯＭ４００から読み出されたプログラムやデータ、ＣＰＵ１００で処理されたデータ等を一時的に記憶する。
【００３４】
受信制御回路部６００は、磁気センサ回路６１０及び共振回路６２０を含み、受信信号の不要な周波数成分をカットして所定の周波数信号を取り出し、この周波数信号を対応する電気信号に変換してＣＰＵ１００に出力する。
【００３５】
計時回路部７００は、発振回路部７２０から入力される信号を計数して現在時刻を計時し、現在時刻データをＣＰＵ１００に出力する。発振回路部７２０は、常時一定周波数のクロック信号を出力する回路である。
【００３６】
図４は、受信制御回路部６００の回路構成を示す図である。同図によれば、受信制御回路部６００は、磁気センサ回路６１０と、共振回路６２０と、抵抗Ｒ０と、増幅回路６４０と、フィルタ回路６５０と、検波回路６６０とを備えて構成される。また、磁気センサ回路６１０、共振回路６２０及び抵抗Ｒ０によりアンテナ装置６３０が構成される。
【００３７】
磁気センサ回路６１０は、磁気抵抗効果を利用した磁気センサであり、直流電源６１１と、抵抗Ｒ１と、磁気抵抗効果素子６１２とを有している。
【００３８】
磁気抵抗効果素子６１２は、外部磁界の変化に応じて磁気抵抗が変化する磁気抵抗効果を有する素子であり、磁性体で成る。図５に、磁気抵抗効果素子６１２の電気的特性の一例を示す。同図は、横軸を磁束密度（外部磁界の強さ）とし、縦軸に磁気抵抗効果素子６１２の磁気抵抗値としたグラフである。同図によれば、磁気抵抗効果素子６１２の磁気抵抗値は、外部磁界がゼロでピーク値をとり、これ以外では急激に低下する。
【００３９】
そして、磁気センサ回路６１０では、直流電源６１１により磁気抵抗効果素子６１２に直流電圧が印加されることで、磁界変化が検出可能となる。即ち、外部磁界が変化すると、磁気抵抗効果素子６１２の磁気抵抗が変化し、これによって磁気抵抗効果素子６１２の両端電圧が変化する。この磁気抵抗効果素子６１２の両端電圧の変化が、磁気センサ回路６１０により検出された磁界変化の信号となる。
【００４０】
共振回路６２０は、水晶（クリスタル）で成る共振素子６２１を有し、磁気センサ回路６１０の後段に設けられている。尚、水晶に限らず、例えばセラミックで成る共振素子であっても良い。この共振回路６２０の共振作用により、磁気センサ回路６１０により検出された磁界変化のうち、受信したい標準電波の磁界変化のみが取り出される。
【００４１】
即ち、共振回路６２０のインピーダンスは共振点で充分低くなるため、このとき、磁気センサ回路６１０の出力電圧及び抵抗Ｒ０に応じた電圧がアンテナ装置６３０の受信信号として出力される。共振点以外では、共振回路６２０のインピーダンスが急激に高くなるため、アンテナ装置６３０の出力信号が極めて小さくなる。これにより、共振回路６２０の共振周波数の磁界変化のみがアンテナ装置６３０の受信信号として出力される。
【００４２】
ここで、共振回路６２０の共振周波数は、受信したい標準電波の搬送波周波数の２倍の周波数に設定される。これは、次の理由による。即ち、交流電波である標準電波による磁界は、図６（ａ）のグラフに示すように、時間経過とともにその向き及び強さが周期的に変化する。そして、この同図（ａ）に示す磁界により、磁気抵抗効果素子６１２のインピーダンスは、同図（ｂ）のグラフに示すように変化する。つまり、磁気抵抗効果素子６１２のインピーダンスは、磁界の向きには関係なく強さのみによって変化するので、磁界がゼロの時点で折り返すよう、標準電波の１／２の周期で変化する。従って、共振回路６２０の共振周波数を受信したい標準電波の搬送波周波数の２倍に設定することで、アンテナ装置６３０は当該標準電波のみを受信することができる。
【００４３】
増幅回路６４０は、アンテナ装置６３０から入力される信号を増幅して出力する。フィルタ回路６５０は、増幅回路６４０から入力される信号に対して所定周波数範囲の信号を通過させ、範囲外の周波数成分を遮断して出力する。検波回路６６０は、フィルタ回路６５０から入力される信号を検波して出力する。検波回路６６０から出力された検波信号はＣＰＵ１００に入力され、現在時刻の修正等に利用される。
【００４４】
［作用・効果］
以上、本実施形態によれば、磁気抵抗効果を利用した磁気センサ回路６１０と共振回路６２０とを用いることで、アンテナ装置６３０の小型化を実現できる。また、磁気抵抗効果素子６１２を、標準電波を受信するアンテナとしているため、従来のバーアンテナのように反磁界があまり発生せず、受信感度の劣化が少ない。
【００４５】
［変形例］
尚、本発明を適用可能な実施形態は上述した実施形態に限定されることなく、本発明の趣旨を逸脱しない範囲で適宜変更可能なのは勿論である。
【００４６】
（Ａ）共振回路
例えば、上述した実施形態では、共振回路６２０を水晶等で成る共振素子６２１で構成することとしたが、これをＬＣ共振回路としても良い。図７は、ＬＣ共振回路を用いた受信制御回路部６００Ａの回路構成を示す図である。同図において、図４に示した受信制御回路部６００と同一の構成要素については同符号を付している。図７によれば、受信制御回路部６００Ａは、磁気センサ回路６１０と、共振回路６２０Ａと、抵抗Ｒ０と、増幅回路６４０と、フィルタ回路６５０と、検波回路６６０とを備えて構成される。磁気センサ回路６１０、共振回路６２０Ａ及び抵抗Ｒ０によりアンテナ装置６３０Ａが構成される。
【００４７】
共振回路６２０Ａは、直列接続されたコンデンサＣ１及びインダクタＬ１を有するＬＣ共振回路である。この共振回路６２０Ａの共振周波数は、受信したい標準電波の搬送波周波数の２倍の周波数に設定される。
【００４８】
また、共振回路ではなく反共振回路（並列共振回路）を用いることとしても良い。図８は、反共振回路を用いた受信制御回路部６００Ｂの回路構成を示す図である。同図によれば、受信制御回路部６００Ｂは、磁気センサ回路６１０と、反共振回路６２０Ｂと、増幅回路６４０と、フィルタ回路６５０と、検波回路６６０とを備えて構成される。磁気センサ回路６１０及び反共振回路６２０Ｂによりアンテナ装置６３０Ｂが構成される。
【００４９】
反共振回路６２０Ｂは、並列接続されたコンデンサＣ２及びインダクタＬ２を有するＬＣ共振回路であり、磁気センサ回路６１０に並列接続されている。尚、この反共振回路６２０Ｂは、ＬＣ共振回路ではなく、所定の反共振素子によって構成しても良い。
【００５０】
反共振回路６２０Ｂのインピーダンスは共振点で充分高くなり、このとき、磁気センサ回路６１０の出力信号がアンテナ装置６３０Ｂの受信信号として出力される。共振点以外では、反共振回路６２０Ｂのインピーダンスが急激に低下するため、アンテナ装置６３０Ｂの出力信号は極めて小さくなる。また、反共振回路６２０Ｂの共振周波数は、上述のように磁気抵抗効果素子６１２の磁気抵抗値が磁界の強さのみに応じて変化するため、受信したい標準電波の搬送波周波数の２倍の周波数に設定される。これらのことにより、アンテナ装置６３０Ｂは、当該標準電波のみを受信することができる。
【００５１】
また、磁気センサと共振回路とを直列接続しても良い。図９は、磁気センサと共振回路とを直列接続した受信制御回路部６００Ｃの回路構成を示す図である。同図によれば、受信制御回路部６００Ｃは、直流電源６１１と、磁気抵抗効果素子６１２と、共振回路６２０Ｃと、抵抗Ｒ３と、増幅回路６４０と、フィルタ回路６５０と、検波回路６６０とを備えて構成される。また、直流電源６１１、磁気抵抗効果素子６１２、共振回路６２０Ｃ及び抵抗Ｒ３によりアンテナ装置６３０Ｃが構成される。
【００５２】
共振回路６２０Ｃは、直列接続されたコンデンサＣ３及びインダクタＬ３を有するＬＣ共振回路である。また、共振回路６２０Ｃと磁気抵抗効果素子６１２とが直列接続され、共振回路６２０Ｃと抵抗Ｒ３とが並列接続されている。そして、直列接続された共振回路６２０Ｃ及び磁気抵抗効果素子６１２の両端に直流電源６１１によって一定の直流電圧が印加され、磁気抵抗効果素子６１２の両端電圧がアンテナ装置６３０Ｃの受信信号として出力される。
【００５３】
共振回路６２０Ｃのインピーダンスは共振点で充分低くなり、このとき、抵抗Ｒ０と磁気抵抗効果素子６１２のインピーダンスとの比に応じた電圧がアンテナ装置６３０Ｃの受信信号として出力される。共振点以外では、共振回路６２０Ｃのインピーダンスが充分高くなるため、アンテナ装置６３０Ｃの出力信号は極めて小さくなる。また、共振回路６２０Ｃの共振周波数は、上述のように磁気抵抗効果素子６１２の磁気抵抗値は磁界の強さのみ応じて変化するため、受信したい標準電波の搬送波周波数の２倍の周波数に設定される。これらのことにより、アンテナ装置６３０Ｃは、当該標準電波のみを受信することができる。
【００５４】
（Ｂ）受信周波数の選択
また、上述した実施形態では、所定周波数の標準電波を受信することとしたが、異なる複数の搬送波周波数の標準電波を受信することとしても良い。具体的には、共振回路の共振周波数を切り換えることで実現する。
【００５５】
例えば、図１０は、図４に示した受信制御回路部６００に適用した受信制御回路部６００Ｄの回路構成の一例を示す図である。図１０によれば、受信制御回路部６００Ｄは、受信制御回路部６００における共振回路６２０を共振回路６２０Ｄに置き換えた構成である。
【００５６】
共振回路６２０Ｄは、並列接続された２つの共振素子６２１ａ，６２１ｂに、スイッチＳＷ１が直列接続されて構成されている。共振素子６２１ａ，６２１ｂは、互いに発振周波数が異なる。そして、スイッチＳＷ１の接続切り換えにより共振素子６２１ａ，６２１ｂの何れかを接続して、共振回路６２０Ｄの共振周波数を切り換えることで、受信制御回路部６００Ｄは、異なる２つの周波数の標準電波を受信することができる。
【００５７】
また、図１１は、図７に示した受信制御回路部６００Ａに適用した受信制御回路部６００Ｅの回路構成の一例を示す図である。図１１によれば、受信制御回路部６００Ｅは、受信制御回路部６００Ａにおける共振回路６２０Ａを共振回路６２０Ｅに置き換えた構成である。
【００５８】
共振回路６２０Ｅは、並列接続された２つのコンデンサＣ１ａ，Ｃ１ｂに、インダクタＬ１とスイッチＳＷ２とが直列接続されて構成されている。コンデンサＣ１ａ，Ｃ１ｂは、互いに容量値が異なる。そして、スイッチＳＷ２の接続切り換えによりコンデンサＣ１ａ，Ｃ１ｂの何れかをインダクタＬ１と直列接続して共振回路６２０Ｅの共振周波数を切り換えることで、受信制御回路部６００Ｅは、異なる２つの周波数の標準電波を受信することができる。
【００５９】
また、図１２は、図８に示した受信制御回路部６００Ｂに適用した受信制御回路部６００Ｆの回路構成の一例を示す図である。図１２によれば、受信制御回路部６００Ｆは、受信制御回路部６００における反共振回路６２０Ｂを反共振回路６２０Ｆに置き換えた構成である。
【００６０】
反共振回路６２０Ｆは、２つのコンデンサＣ２ａ，Ｃ２ｂとインダクタＬ２とが並列接続され、更にコンデンサＣ２ｂにスイッチＳＷ３が直列接続されて構成されている。そして、スイッチＳＷ３の接続切り換えにより反共振回路６２０Ｆの共振周波数を切り換えることで、受信制御回路部６００Ｆは、異なる２つの周波数の標準電波を受信することができる。
【００６１】
また、図１３は、図９に示した受信制御回路部６００Ｃに適用した受信制御回路部６００Ｇの回路構成の一例を示す図である。図１３によれば、受信制御回路部６００Ｇは、受信制御回路部６００Ｃの共振回路６２０Ｃを共振回路６２０Ｇに置き換えた構成である。
【００６２】
共振回路６２０Ｇは、並列接続されたコンデンサＣ３ａ，Ｃ３ｂにインダクタＬ３が直列接続され、更にコンデンサＣ３ｂにスイッチＳＷ４が直列接続されている。そして、スイッチＳＷ４の接続切り換えにより共振回路６２０Ｇの共振周波数を切り換えることで、受信制御回路部６００Ｇは、異なる２種類の周波数の標準電波を受信することができる。
【００６３】
（Ｃ）磁気抵抗効果素子６１２
また、上述した実施形態では、磁気センサ回路６１０は磁気抵抗効果素子６１２を用いることとしたが、これを、例えばスピントンネル磁気抵抗効果素子やホール素子を用いた磁気センサとしても良い。尚、ホール素子を用いた場合、ホール素子は磁界の方向及び強さを検出できるので、共振回路の共振周波数は、受信したい標準電波の搬送波周波数に等しい周波数に設定すればよい。
【図面の簡単な説明】
【００６４】
【図１】腕時計の正面図。
【図２】腕時計の断面図。
【図３】腕時計の内部構成図。
【図４】受信制御回路部の回路構成例。
【図５】磁気抵抗効果素子の磁気抵抗特性例。
【図６】外部磁界及びこの外部磁界による磁気抵抗効果素子のインピーダンスの関係例。
【図７】ＬＣ共振回路を用いた場合の受信制御回路部の回路構成例。
【図８】反共振回路を用いた場合の受信制御回路部の回路構成例。
【図９】磁気センサと共振回路とを直列接続した場合の受信制御回路部の回路構成例。
【図１０】受信周波数を切り換え可能とした受信制御回路部の回路構成例。
【図１１】受信周波数を切り換え可能とした受信制御回路部の回路構成例。
【図１２】受信周波数を切り換え可能とした受信制御回路部の回路構成例。
【図１３】受信周波数を切り換え可能とした受信制御回路部の回路構成例。
【符号の説明】
【００６５】
１  腕時計
１００  ＣＰＵ
２００  入力部
３００  表示部
４００  ＲＯＭ
５００  ＲＡＭ
６００  受信制御回路部
６３０  アンテナ装置
６１０  磁気センサ回路
６１１  直流電源
６１２  磁気抵抗効果素子
６２０  共振回路
６２１  共振素子
６４０  増幅回路
６５０  フィルタ回路
６６０  検波回路
７００  計時回路部
７２０  発振回路部
【図１】
2007124335.tif 000003
【図２】
2007124335.tif 000004
【図３】
2007124335.tif 000005
【図４】
2007124335.tif 000006
【図５】
2007124335.tif 000007
【図６】
2007124335.tif 000008
【図７】
2007124335.tif 000009
【図８】
2007124335.tif 000010
【図９】
2007124335.tif 000011
【図１０】
2007124335.tif 000012
【図１１】
2007124335.tif 000013
【図１２】
2007124335.tif 000014
【図１３】
2007124335.tif 000015